(57)【要約】  ビデオコンテンツを出力するのに有効なシステムおよび方法に関する技術が全体的に説明される。いくつかの例では、コンテンツ出力装置は、第１の識別子および第１のカテゴリを含む第１のビデオコンテンツを求める第１の要求を受信するのに有効とすることができる。デバイスは、第１のビデオコンテンツに割り当てられた第１のズームレベルを含む第１のビデオコンテンツに関するズーム選択を受信することができる。選択は、第１の識別子または第１のカテゴリに基づくことができる。デバイスは、ズーム選択をメモリに格納し、第２の識別子および第２のカテゴリを含む第２のビデオコンテンツを求める第２の要求を受信することができる。デバイスは、メモリを解析し、第１のズームレベルと、第１の識別子または第１のカテゴリとに基づいて、第２のビデオコンテンツに関する第２のズームレベルを求めることができる。デバイスは、第２のズームレベルで第２のビデオコンテンツを出力することができる。
2014513455.tif 000002
【特許請求の範囲】
【請求項１】
コンテンツ出力装置のディスプレイ上にビデオコンテンツを出力する方法であって、
第１のビデオコンテンツを求める第１の要求を前記コンテンツ出力装置で受信することであって、前記第１のビデオコンテンツが、第１の識別子および第１のカテゴリを含むこと、
前記コンテンツ出力装置で、前記第１のビデオコンテンツに関するズーム選択を受信することであって、前記ズーム選択が、前記第１のビデオコンテンツに割り当てられた第１のズームレベルを含み、前記第１のズームレベルが、前記第１の識別子または前記第１のカテゴリの少なくとも一方に基づくこと、
前記ズーム選択をメモリに格納すること、
第２のビデオコンテンツを求める第２の要求を前記コンテンツ出力装置で受信することであって、前記第２のビデオコンテンツが、第２の識別子および第２のカテゴリを含むこと、
前記コンテンツ出力装置によって前記メモリを解析し、前記第１のズームレベルに基づいて、かつ前記第１の識別子または前記第１のカテゴリの少なくとも一方に基づいて、前記第２のビデオコンテンツに関する第２のズームレベルを求めること、および
前記ディスプレイを制御して、前記第２のズームレベルで前記第２のビデオコンテンツを出力すること
を含む方法。
【請求項２】
前記第１のカテゴリが前記第２のカテゴリと同一であるとき、前記第２のズームレベルが前記第１のズームレベルと同一である請求項１に記載の方法。
【請求項３】
前記第１の識別子が第２の識別子と同一であるとき、前記第２のズームレベルが第１のズームレベルと同一である請求項１に記載の方法。
【請求項４】
前記第１および第２のビデオコンテンツが、第１および第２のモバイルデバイスアプリケーションからの第１および第２の出力であり、前記第１のモバイルデバイスアプリケーションが第１の識別子および第１のカテゴリを含み、前記第２のモバイルデバイスアプリケーションが前記第２の識別子および前記第２のカテゴリを含み、
前記方法が、前記ディスプレイを制御して、前記第２のズームレベルで前記第２のモバイルデバイスアプリケーションの前記ビデオコンテンツを出力すること
をさらに含み、
前記第１の識別子が第２の識別子と同一であるとき、または前記第１のカテゴリが前記第２のカテゴリと同一であるとき、前記第２のズームレベルが前記第１のズームレベルと同一である請求項１に記載の方法。
【請求項５】
前記第１の識別子が第２の識別子と同一であるとき、第２のズームレベルが前記第１のズームレベルと同一であり、
前記第１の識別子が前記第２の識別子と同一ではなく、前記第１のカテゴリが前記第２のカテゴリと同一であるとき、第２のズームレベルが前記第１のズームレベルと同一である請求項１に記載の方法。
【請求項６】
前記第１の識別子が前記第２の識別子と同一ではないとき、かつ前記第１のカテゴリが前記第２のカテゴリと同一ではないとき、前記第２のズームレベルが前記コンテンツ出力装置のディスプレイに基づく請求項５に記載の方法。
【請求項７】
前記第１のビデオコンテンツが第１のウェブページであり、
前記第２のビデオコンテンツが第２のウェブページである請求項１に記載の方法。
【請求項８】
前記第１のカテゴリが、前記第１のウェブページのコンテンツの量に関係し、
前記第２のカテゴリが、前記第２のウェブページのコンテンツの量に関係する請求項７に記載の方法。
【請求項９】
前記第２のズームレベルが、前記コンテンツ出力装置の前記ディスプレイに基づく請求項１に記載の方法。
【請求項１０】
前記ズーム選択を受信することが、前記コンテンツ出力装置のタッチスクリーンユーザインターフェース上のピンチング動作を受信することを含む請求項１に記載の方法。
【請求項１１】
請求項１に記載の方法を実施するのに有効なコンテンツ出力装置であって、
メモリと、
ディスプレイと、
前記メモリおよび前記ディスプレイと通信しているプロセッサとを備え、
前記プロセッサが、
第１のビデオコンテンツを求める第１の要求を受信するのに有効であり、前記第１のビデオコンテンツが、第１の識別子および第１のカテゴリを含み、
前記第１のビデオコンテンツに関するズーム選択を受信するのに有効であり、前記ズーム選択が、前記第１のビデオコンテンツに割り当てられた第１のズームレベルを含み、前記第１のズームレベルが、前記第１の識別子または前記第１のカテゴリの少なくとも一方に基づいており、
前記ズーム選択をメモリに格納するのに有効であり、
第２のビデオコンテンツを求める第２の要求を受信するのに有効であり、前記第２のビデオコンテンツが、第２の識別子および第２のカテゴリを含み、
前記メモリを解析し、前記第１のズームレベルに基づいて、かつ前記第１の識別子または前記第１のカテゴリの少なくとも一方に基づいて、前記第２のビデオコンテンツに関する第２のズームレベルを求めるのに有効であり、
前記ディスプレイを制御して、前記第２のズームレベルで前記第２のビデオコンテンツを出力するのに有効である、コンテンツ出力装置。
【請求項１２】
前記第１のカテゴリが前記第２のカテゴリと同一であるとき、前記第２のズームレベルが前記第１のズームレベルと同一である請求項１１に記載のコンテンツ出力装置。
【請求項１３】
前記第１の識別子が第２の識別子と同一であるとき、第２のズームレベルが前記第１のズームレベルと同一である請求項１１に記載のコンテンツ出力装置。
【請求項１４】
前記第１および第２のビデオコンテンツが、第１および第２のモバイルデバイスアプリケーションからの第１および第２の出力であり、前記第１のモバイルデバイスアプリケーションが、前記第１の識別子および前記第１のカテゴリを含み、前記第２のモバイルデバイスアプリケーションが、前記第２の識別子および前記第２のカテゴリを含み、
前記プロセッサが、前記ディスプレイを制御して、前記第２のズームレベルで前記第２のモバイルデバイスアプリケーションの前記ビデオコンテンツを出力するのに有効であり、
前記第１の識別子が前記第２の識別子と同一であるとき、または前記第１のカテゴリが前記第２のカテゴリと同一であるとき、第２のズームレベルが前記第１のズームレベルと同一である請求項１１に記載のコンテンツ出力装置。
【請求項１５】
前記第１の識別子が第２の識別子と同一であるとき、第２のズームレベルが前記第１のズームレベルと同一であり、
前記第１の識別子が前記第２の識別子と同一ではなく、前記第１のカテゴリが前記第２のカテゴリと同一であるとき、第２のズームレベルが前記第１のズームレベルと同一である請求項１１に記載のコンテンツ出力装置。
【請求項１６】
前記第１の識別子が前記第２の識別子と同一ではないとき、かつ前記第１のカテゴリが前記第２のカテゴリと同一ではないとき、前記第２のズームレベルが前記コンテンツ出力装置のディスプレイに基づく請求項１５に記載のコンテンツ出力装置。
【請求項１７】
前記第１のビデオコンテンツが第１のウェブページであり、
前記第２のビデオコンテンツが第２のウェブページであり、
前記第１のカテゴリが、前記第１のウェブページ上のコンテンツの量に関係し、
前記第２のカテゴリが、前記第２のウェブページ上のコンテンツの量に関係する請求項１１に記載のコンテンツ出力装置。
【請求項１８】
前記プロセッサと通信しているタッチスクリーンユーザインターフェース
をさらに備え、
前記ズーム選択を受信することが、前記タッチスクリーン上のピンチング動作の検出を含む請求項１１に記載のコンテンツ出力装置。
【請求項１９】
コンピュータによって実行されたとき、請求項１に記載の方法を実施するように前記コンピュータを適合させるコンピュータ実行可能命令がその上に格納されたコンピュータ記憶媒体であって、前記方法が、
第１のビデオコンテンツを求める第１の要求を前記コンテンツ出力装置で受信することであって、前記第１のビデオコンテンツが、第１の識別子および第１のカテゴリを含むこと、
前記コンテンツ出力装置で、前記第１のビデオコンテンツに関するズーム選択を受信することであって、前記ズーム選択が、前記第１のビデオコンテンツに割り当てられた第１のズームレベルを含み、前記第１のズームレベルが、前記第１の識別子または前記第１のカテゴリの少なくとも一方に基づくこと、
前記ズーム選択をメモリに格納すること、
第２のビデオコンテンツを求める第２の要求を前記コンテンツ出力装置で受信することであって、前記第２のビデオコンテンツが、第２の識別子および第２のカテゴリを含むこと、
前記コンテンツ出力装置によって前記メモリを解析し、前記第１のズームレベルに基づいて、かつ前記第１の識別子または前記第１のカテゴリの少なくとも一方に基づいて、前記第２のビデオコンテンツに関する第２のズームレベルを求めること、および
前記ディスプレイを制御して、前記第２のズームレベルで前記第２のビデオコンテンツを出力すること
を含むコンピュータ記憶媒体。
【請求項２０】
第１および第２のビデオコンテンツが、第１および第２のモバイルデバイスアプリケーションからの出力であり、
前記第１の識別子が第２の識別子と同一であるとき、前記第２のズームレベルが前記第１のズームレベルと同一であり、
前記第１の識別子が前記第２の識別子と同一ではなく、前記第１のカテゴリが前記第２のカテゴリと同一であるとき、前記第２のズームレベルが前記第１のズームレベルと同一であり、
前記第１の識別子が前記第２の識別子と同一ではないとき、かつ前記第１のカテゴリが前記第２のカテゴリと同一ではないとき、前記第２のズームレベルが前記コンテンツ出力装置のディスプレイに基づく請求項１９に記載のコンピュータ記憶媒体。
【発明の詳細な説明】
【背景技術】
【０００１】
本明細書に別段に示されていない限り、本節に記載の資料は、本願の特許請求の範囲に対する従来技術ではなく、本節に含めることによって従来技術となることは認められない。
【０００２】
ビデオ情報、電子書籍、インターネット出版物、モバイルデバイスアプリケーションの出力、ビデオを表示するのに有効なソフトウェアなどのビデオコンテンツを、様々なコンテンツ出力装置によって出力することができる。例えば、コンピュータ、携帯電話、スマートフォン、スーパーフォン、拡張現実デバイスなどを通じてコンテンツをユーザに出力することができる。一般には、こうしたタイプのコンテンツ出力装置は、人間によって識別可能な波を生じる。
【発明の概要】
【０００３】
一例では、コンテンツ出力装置のディスプレイ上にビデオコンテンツを出力する方法が一般に説明される。この方法は、第１のビデオコンテンツを求める第１の要求をコンテンツ出力装置で受信することを含むことができ、第１のビデオコンテンツは、第１の識別子および第１のカテゴリを含む。この方法は、コンテンツ出力装置で、第１のビデオコンテンツに関するズーム選択を受信することを含むことができる。ズーム選択は、第１のビデオコンテンツに割り当てられた第１のズームレベルを含むことができる。第１のズームレベルは、第１の識別子または第１のカテゴリの少なくとも一方に基づくことができる。この方法は、ズーム選択をメモリに格納することを含むことができる。この方法は、第２のビデオコンテンツを求める第２の要求をコンテンツ出力装置で受信することを含むことができ、第２のビデオコンテンツは、第２の識別子および第２のカテゴリを含む。この方法は、コンテンツ出力装置によってメモリを解析し、第１のズームレベルに基づいて、かつ第１の識別子または第１のカテゴリの少なくとも一方に基づいて、第２のビデオコンテンツに関する第２のズームレベルを求めることを含むことができる。この方法は、ディスプレイを制御して、第２のズームレベルで第２のビデオコンテンツを出力することを含むことができる。
【０００４】
別の例では、ビデオコンテンツを出力するのに有効なコンテンツ出力装置が全体的に説明される。ある例では、コンテンツ出力装置は、メモリと、ディスプレイと、メモリおよびディスプレイと通信しているプロセッサとを含むことができる。プロセッサは、第１のビデオコンテンツを求める第１の要求を受信するのに有効とすることができ、第１のビデオコンテンツは、第１の識別子および第１のカテゴリを含む。プロセッサは、第１のビデオコンテンツに関するズーム選択を受信するのに有効とすることができる。ズーム選択は、第１のビデオコンテンツに割り当てられた第１のズームレベルを含むことができ、第１のズームレベルは、第１の識別子または第１のカテゴリの少なくとも一方に基づくことができる。プロセッサは、ズーム選択をメモリに格納するのに有効とすることができる。プロセッサは、第２のビデオコンテンツを求める第２の要求を受信するのに有効とすることができ、第２のビデオコンテンツは、第２の識別子および第２のカテゴリを含む。プロセッサは、メモリを解析し、第１のズームレベルに基づいて、かつ第１の識別子または第１のカテゴリの少なくとも一方に基づいて、第２のビデオコンテンツに関する第２のズームレベルを求めるのに有効とすることができる。プロセッサは、ディスプレイを制御して、第２のズームレベルで第２のビデオコンテンツを出力するのに有効とすることができる。
【０００５】
別の例では、コンピュータによって実行されたとき、コンテンツ出力装置のディスプレイ上にビデオコンテンツを出力する方法を実施するようにコンピュータを適合させるコンピュータ実行可能命令がその上に格納されたコンピュータ記憶媒体が全体的に説明される。いくつかの例では、この方法は、第１のビデオコンテンツを求める第１の要求をコンテンツ出力装置で受信することを含むことができ、第１のビデオコンテンツは、第１の識別子および第１のカテゴリを含む。この方法は、コンテンツ出力装置で、第１のビデオコンテンツに関するズーム選択を受信することを含むことができる。ズーム選択は、第１のビデオコンテンツに割り当てられた第１のズームレベルを含むことができる。第１のズームレベルは、第１の識別子または第１のカテゴリの少なくとも一方に基づくことができる。この方法は、ズーム選択をメモリに格納することを含むことができる。この方法は、第２のビデオコンテンツを求める第２の要求をコンテンツ出力装置で受信することを含むことができ、第２のビデオコンテンツは、第２の識別子および第２のカテゴリを含む。この方法は、コンテンツ出力装置によってメモリを解析し、第１のズームレベルに基づいて、かつ第１の識別子または第１のカテゴリの少なくとも一方に基づいて、第２のビデオコンテンツに関する第２のズームレベルを求めることを含むことができる。この方法は、ディスプレイを制御して、第２のズームレベルで第２のビデオコンテンツを出力することを含むことができる。
【０００６】
上記の概要は例示的なものにすぎず、いかなる形でも限定を意図するものではない。上述の例示的態様、実施形態、および特徴に加えて、図面および以下の詳細な説明を参照することによって別の態様、実施形態、および特徴が明らかとなるであろう。
【図面の簡単な説明】
【０００７】
【図１】本明細書に記載の少なくともいくつかの実施形態に従って構成される、ビデオコンテンツを出力するのに使用することのできるいくつかの例示的システムを示す図である。
【図２】本明細書に記載の少なくともいくつかの実施形態に従って構成される、ビデオコンテンツを出力するのに使用することのできる流れ図、例えばプロセスを示す図である。
【図３】本明細書に記載の少なくともいくつかの実施形態に従って構成される、ビデオコンテンツを出力するのに使用することのできるコンピュータプログラム製品を示す図である。
【図４】本明細書に記載の少なくともいくつかの実施形態に従って構成される、ビデオコンテンツを出力するのに使用することのできる例示的コンピューティングデバイスを示すブロック図である。
【発明を実施するための形態】
【０００８】
以下の詳細な説明では、本明細書の一部を形成する添付の図面に対して参照を行う。図面では、同様の符号は一般に、文脈が別段に規定しない限り類似の構成要素を特定する。詳細な説明、図面、および特許請求の範囲で説明される例示的実施形態は、限定を意味するものではない。本明細書で提示される主題の趣旨または範囲から逸脱することなく、他の実施形態を利用することができ、他の変更を行うことができる。本明細書で一般に説明され、図で示される本開示の態様を、多種多様な異なる構成で構成し、置換し、組み合わせ、分離し、設計することができ、そのすべてが本明細書で明示的に企図される。
【０００９】
本開示は一般に、とりわけ、ビデオコンテンツを出力するのに使用することのできる方法、装置、システム、デバイス、およびコンピュータプログラム製品に対して描写される。
【００１０】
簡潔に述べると、ビデオコンテンツを出力するのに有効なシステムおよび方法に関する技術が全体的に説明される。いくつかの例では、コンテンツ出力装置は、第１の識別子および第１のカテゴリを含む第１のビデオコンテンツを求める第１の要求を受信するのに有効とすることができる。デバイスは、第１のビデオコンテンツに割り当てられた第１のズームレベルを含む第１のビデオコンテンツに関するズーム選択を受信することができる。選択は、第１の識別子または第１のカテゴリに基づくことができる。デバイスは、ズーム選択をメモリに格納し、第２の識別子および第２のカテゴリを含む第２のビデオコンテンツを求める第２の要求を受信することができる。デバイスは、メモリを解析し、第１のズームレベルと、第１の識別子または第１のカテゴリとに基づいて、第２のビデオコンテンツに関する第２のズームレベルを求めることができる。デバイスは、第２のズームレベルで第２のビデオコンテンツを出力することができる。
【００１１】
図１に、本明細書に記載の少なくともいくつかの実施形態に従って構成された、ビデオコンテンツを出力するのに使用することのできるいくつかの例示的システムを示す。以下でより詳細に論じるように、いくつかの例では、システム１００は、コンテンツ出力装置１１０、および／またはインターネットなどのネットワーク１２２を通じて通信しているビデオコンテンツプロセッサ１２８を含むことができる。いくつかの例では、コンテンツ出力装置１１０は、スマートフォンやスーパーフォンなどの携帯電話１０４、コンピュータ１０６、タブレットコンピュータ１０８、またはビデオコンテンツを出力することのできるプロセッサを備える任意のデバイスもしくはモバイルデバイスでよい。コンテンツ出力装置１１０は、すべてプロセッサ１１４と通信している、アンテナなどのネットワークインターフェース１１２、ディスプレイ１１６、メモリ１１８、および／またはユーザインターフェース１４６を含むことができる。一例では、ユーザインターフェース１４６は、ユーザがピンチングおよび／またはリリース動作によってビデオコンテンツのズームレベルを選択することを可能にするタッチスクリーンインターフェースでよい。ネットワークインターフェース１１２は、セルタワー１２０、衛星１３８、ケーブル１３６などを通じて、ネットワーク１２２に対するワイヤードまたはワイヤレス通信を可能にするように構成することができる。メモリ１１８は、以下で詳細に論じるように、ズームレベルアルゴリズム１３４、ビデオコンテンツ１３０、および関連するカテゴリ１３２、および／またはズームテーブル１４８を格納するように構成することができる。
【００１２】
いくつかの例では、ビデオコンテンツプロセッサ１２８はメモリ１２４と通信することができる。メモリ１２４は、ビデオコンテンツ１３０および／または関連するカテゴリ１３２を格納するように適合することができる。ビデオコンテンツプロセッサ１２８は、コンテンツ出力装置１１０にビデオコンテンツ１３０を送信するように構成することができる。メモリ１２４にビデオコンテンツ１３０を格納したコンテンツ作成者によってビデオコンテンツ１３０をカテゴリに割り当てることができる。いくつかの例では、ビデオコンテンツプロセッサ１２８は、ウェブページの形でビデオコンテンツ１３０を送るように構成されたウェブサーバでよい。こうした例では、カテゴリ１３２は、コンテンツ作成者によって選択された特定のページ上のコンテンツの量に関係することができる。いくつかの例では、ビデオコンテンツプロセッサ１２８は、携帯電話またはタブレットコンピュータなどのモバイルデバイスによって使用することができるようなモバイルデバイスアプリケーション、すなわち「ａｐｐ」ストアをホストすることができる。こうした例では、コンテンツ１３０はモバイルデバイスアプリケーションの出力でよく、カテゴリ１３２は、作業生産性、ゲーム、ソーシャルメディアなどのアプリケーションのタイプに関係することができる。いくつかの例では、ビデオコンテンツ１３０がアプリケーションであるとき、プロセッサ１１４はアプリケーションランチャとして働くことができる。
【００１３】
一例では、コンテンツ出力装置１１０は、第１のビデオコンテンツ１３０を求めるユーザ１０２からの要求を受信するように構成することができる。コンテンツ出力装置１１０は、ネットワーク１２２を介してビデオコンテンツプロセッサ１２８に要求１４０を送るように構成することができる。ビデオコンテンツプロセッサ１２８は、要求１４０に基づいて、メモリ１２４に照会１６０を送るように構成することができる。照会１６０に応答して、メモリ１２４は、ビデオコンテンツプロセッサ１２８にビデオコンテンツ１３０および関連するカテゴリ１３２を送ることができる。ビデオコンテンツプロセッサ１２８は、コンテンツ出力装置１１０にビデオコンテンツ１３０およびカテゴリ１３２を送るように構成することができる。例えば、第１のビデオコンテンツ１３０は、ウェブページまたはモバイルデバイスアプリケーションの出力でよい。
【００１４】
プロセッサ１１４は、ユーザ１０２からズーム選択１２６を受信するように構成することができる。ズーム選択１２６は、第１のビデオコンテンツ１３０に関する所望のズームレベルを示すことができる。ズーム選択１２６は、例えば、ユーザがユーザインターフェース１４６上でピンチング動作を実施することに基づくことができる。一例では、ズーム選択１２６は、特定のカテゴリに関連するビデオコンテンツにズームレベルを割り当てることができる。その後でコンテンツ出力装置１１０によって受信される、第１のビデオコンテンツと同一のカテゴリを有する第２のビデオコンテンツに、第１のビデオコンテンツと同一のズームレベルを割り当てることができるように、ズームレベルアルゴリズム１３４を適合させることができる。一例では、ズーム選択１２６は、第１のビデオコンテンツに関連する識別子にズームレベルを割り当てることができる。例えば、識別子は「ＸＹＺ  ａｐｐ」でよい。その後でコンテンツ出力装置１１０によって受信される、同一の識別子を有する第２のビデオコンテンツに、第１のビデオコンテンツと同一のズームレベルを割り当てることができるように、ズームレベルアルゴリズム１３４を適合させることができる。
【００１５】
コンテンツ出力装置１１０のプロセッサ１１４は、ディスプレイ１１６を制御して、ズームレベルアルゴリズム１３４によって割り当てられたズームレベルでビデオコンテンツ１３０を出力するように構成することができる。一例では、出力装置１１０上で出力される特定のビデオコンテンツに関するズームレベルを、特定のカテゴリまたは特定のビデオコンテンツ自体の如何にかかわらず割り当てるようにズームレベルアルゴリズム１３４を適合させることができる。こうした例は、コンテンツ出力装置１１０がズーム選択１２６を受信する前に、または受信したズーム選択１２６内のカテゴリおよび識別子が、出力される特定のビデオコンテンツのカテゴリまたは識別子と同一でない場合に行うことができる。いくつかの例では、ディスプレイ１１６のサイズに応じて、ズームレベルアルゴリズム１３４によって割り当てられるズームレベルは、異なる値を有することができる。例えば、コンテンツ出力装置１１０が２２インチモニタである場合、ズームレベルは、コンテンツ出力装置１１０が４．５インチのデバイスを有する携帯電話である場合よりも小さくてよい。
【００１６】
特定のカテゴリに関連するビデオコンテンツに関するズームレベルを割り当てるようにズームレベルアルゴリズム１３４を適合させることができる。例えば、ユーザ１０２から受信されるズーム選択１２６は、特定のカテゴリに関連する第１のビデオコンテンツに関する所望のズームレベルの表示を含むことができる。第１のビデオコンテンツと同一のカテゴリに関連する第２の受信されたビデオコンテンツ１３０について同一のズームレベルを割り当てるようにズームレベルアルゴリズム１３４を適合させることができる。
【００１７】
識別子によって識別される特定の第１のビデオコンテンツ１３０に関するズームレベルを割り当てるようにズームレベルアルゴリズム１３４を適合させることができる。例えば、ズーム選択１２６は、識別子に基づく特定の第１のビデオコンテンツに関する所望のズームレベルの表示を含むことができる。第１のビデオコンテンツと同一の識別子を有する第２の受信されたビデオコンテンツ１３０について同一のズームレベルを割り当てるようにズームレベルアルゴリズム１３４を適合させることができる。
【００１８】
一例では、プロセッサ１１４は、ディスプレイ１１６を制御して、コンテンツ出力装置１１０に基づいてデフォルトデバイスズームレベルでビデオコンテンツ１３０を出力するように構成することができる。例えば、最初にユーザがデバイス１１０を使用したとき、または最初に特定のコンテンツがデバイス１１０によって出力されたとき、システムズームレベルを使用することができる。ズーム選択１２６に基づいて、ユーザ１０２は、デフォルトシステムズームレベルをオーバーライドすることができる。
【００１９】
カテゴリまたはビデオコンテンツ識別子に関係する、第１のビデオコンテンツに関するズーム選択１２６が出力装置１１０によって受信された後、ズームテーブル１４８にズーム選択１２６を格納するようにプロセッサ１１４を構成することができる。一例では、コンテンツ出力装置、カテゴリ、およびビデオコンテンツ識別子に関して割り当てられるズームレベルをズームテーブル１４８に格納することができる。第２のビデオコンテンツを表示する後続の要求１４０をプロセッサ１１４が受信する例では、テーブル１４８を解析し、ズームレベルアルゴリズム１３４に基づいて第２のビデオコンテンツに関するズームレベルを求めるようにプロセッサ１１４を構成することができる。
【００２０】
一例では、ユーザ１０２は、カテゴリＪＦＫに割り当てられた第１のビデオコンテンツについて、ズームレベル１０％を割り当てることができる。ユーザ１０２が第２のビデオコンテンツ１３０を出力する後続の要求を行う例では、第２のビデオコンテンツに関連するカテゴリを求めるようにプロセッサ１１４を構成することができる。第２のビデオコンテンツに関連するカテゴリがズームテーブル１４８に格納されている場合、ディスプレイ１１６を制御して、格納されたズームレベルで第２のビデオコンテンツを出力するようにプロセッサ１１４を構成することができる。特定の例では、カテゴリ１３２が電子書籍に関係する場合、ユーザ１０２がズーム選択１２６でカテゴリ電子書籍に関するズームレベルを割り当てた後は、ディスプレイ１１６を制御して、その後で要求された電子書籍を同一のズームレベルで出力するようにプロセッサ１１４を構成することができる。
【００２１】
特定のビデオコンテンツ１３０の出力を求める要求１４０を受信するようにプロセッサ１１４が構成されるときの例では、受信したビデオコンテンツ１３０および関連するカテゴリ１３２をビデオコンテンツプロセッサ１２８に要求するようにプロセッサ１１４を構成することができる。ズームテーブル１４８を解析するようにプロセッサ１１４を構成することができる。ズームテーブル１４８が特定のビデオコンテンツの識別子に関して割り当てられた第１のズームレベルを含む場合、ディスプレイ１１６を制御して、第１のズームレベルで特定のビデオコンテンツを出力するようにプロセッサ１１４を構成することができる。ズームテーブル１４８が特定のビデオコンテンツの識別子に関して割り当てられたズームレベルを有さない場合、ズームテーブル１４８を解析し、特定のビデオコンテンツに関連するカテゴリに関して第２のズームレベルが割り当てられているかどうかを判定するようにプロセッサ１１４を構成することができる。ズームテーブル１４８が特定のビデオコンテンツに関連するカテゴリに関して割り当てられた第２のズームレベルを有する場合、ディスプレイ１１６を制御して、第２のズームレベルで特定のビデオコンテンツを出力するようにプロセッサ１１４を構成することができる。ズームテーブル１４８が特定のデータに関連するカテゴリに関して割り当てられたズームレベルを有さない場合、ディスプレイ１１６を制御して、デバイスズームレベルで特定のビデオコンテンツを表示するようにプロセッサ１１４を構成することができる。
【００２２】
上述のように、コンテンツ作成者によってカテゴリ１３２を割り当てることができる。例えば、ビデオコンテンツ１３０がモバイルデバイスアプリケーションである例では、カテゴリ１３２を作業生産性またはゲームとして割り当てることができる。ビデオコンテンツ１３０がウェブページである例では、カテゴリ１３２を「コンテンツページ」または「サブサイト」として割り当てることができ、またはコンテンツ作成者が望む任意の他の分類法を使用して割り当てることができる。例えば、特定のビデオコンテンツに基づいてどのようにカテゴリを割り当てるかに関して、コンテンツ作成者にガイドラインを提供することができる。ウェブページの例では、「ホームページ」カテゴリは、特定のＵＲＬ（ユニフォームリソースロケータ）に対応するウェブページでよく、「サブサイト」カテゴリは、コンテンツ作成者によって決定される、限定されたコンテンツを有するウェブページでよく、他のウェブページに対するリンクを含む。「コンテンツ」ページカテゴリは、やはりコンテンツ作成者によって定義される、読むための重要なコンテンツを有することができる。コンテンツ作成者は、それぞれのページ上のメタタグなどで、ウェブサイトのそれぞれのページと関連付けるためのカテゴリを定義することができ、次いでユーザ１０２は、そうしたカテゴリのそれぞれについてズームレベルを定義することができる。
【００２３】
コンテンツ出力装置１１０のオペレーティングシステムの一部としてズームレベルアルゴリズム１３４を格納することができる。こうした例では、ズームレベルアルゴリズム１３４は、オペレーティングシステムにカーネルレベルコールを与えることができる。出力装置１１０のオペレーティングシステムの上のユーザライブラリまたはアプリケーションプログラミングインターフェース（ＡＰＩ）ライブラリコールにズームレベルアルゴリズム１３４を格納することができる。
【００２４】
潜在的な利点の中でもとりわけ、本開示によるシステムを使用して、ビデオコンテンツを閲覧するより良好な体験をユーザに提供することができる。例えば、表示されるコンテンツを反復的にズームインおよびズームアウトするのではなく、ユーザは、ユーザがコンテンツのカテゴリに対して望むズームレベルを定義することができる。異なるカテゴリは異なるレベルのテキスト情報またはグラフィカル情報を有することができるので、ユーザは、より良好に機能し、特定のユーザ向けによりカスタム化されたズームレベルを定義することができる。コンテンツ作成者によって定義されたズームレベルにユーザを限定する必要はない。各カテゴリ内のアプリケーションは、類似のレベルのグラフィックおよび／またはテキストを有することができ、同一のズームレベルで出力されることから利益を得ることができる。システムがモバイルデバイスを含む例では、本開示によるシステムは、ユーザの指のピンチング動作によってズーム選択を実施することができる場合、ビデオコンテンツを閲覧する能力を最適化することができる。ユーザは、ユーザが新しいアプリケーションを起動し、アプリケーションを再起動し、ウェブブラウザを起動し、または新しいアプリケーションセッションを開始する度にズームレベルを必ずしも調節する必要はない。
【００２５】
図２に、本明細書に記載の少なくともいくつかの実施形態に従って構成されたビデオコンテンツを出力するのに使用することのできる流れ図、例えばプロセスを示す。図２のプロセスは、例えば上記で論じたシステム１００を使用して実装することができる。例示的プロセスは、ブロックＳ２、Ｓ４、Ｓ６、Ｓ８、Ｓ１０、および／またはＳ１２のうちの１つまたは複数によって示されるように、１つまたは複数の操作、動作、または機能を含むことができる。離散的ブロックとして示されているが、所望の実装に応じて、様々なブロックを追加のブロックに分割し、より少数のブロックとして結合し、またはなくすことができる。処理はブロックＳ２から始めることができる。
【００２６】
ブロックＳ２で、第１のビデオコンテンツを求める第１の要求を受信するようにコンテンツ出力装置を構成することができる。第１のビデオコンテンツは、第１の識別子および第１のカテゴリを含むことができる。処理は、ブロックＳ２からブロックＳ４に進むことができる。
【００２７】
ブロックＳ４で、第１のビデオコンテンツに関するズーム選択を受信するようにコンテンツ出力装置を構成することができる。ズーム選択は、第１のビデオコンテンツに割り当てられた第１のズームレベルを含むことができる。第１のズームレベルは、第１の識別子または第１のカテゴリの少なくとも一方に基づくことができる。処理は、ブロックＳ４からブロックＳ６に進むことができる。
【００２８】
ブロックＳ６で、ズーム選択をメモリに格納するようにコンテンツ出力装置を構成することができる。処理は、ブロックＳ６からブロックＳ８に進むことができる。
【００２９】
ブロックＳ８で、第２のビデオコンテンツを求める第２の要求を受信するようにコンテンツ出力装置を構成することができる。第２のビデオコンテンツは、第２の識別子および第２のカテゴリを含むことができる。処理は、ブロックＳ８からブロックＳ１０に進むことができる。
【００３０】
ブロックＳ１０で、メモリを解析し、第１のズームレベルに基づいて、かつ第１の識別子または第１のカテゴリの少なくとも一方に基づいて、第２のビデオコンテンツに関する第２のズームレベルを求めるようにコンテンツ出力装置を構成することができる。処理は、ブロックＳ１０からブロックＳ１２に進むことができる。ブロックＳ１２で、ディスプレイを制御して、第２のズームレベルで第２のビデオコンテンツを出力するようにコンテンツ出力装置を構成することができる。
【００３１】
図３に、本明細書に記載の少なくともいくつかの実施形態による、ビデオコンテンツを出力するのに使用することのできるコンピュータプログラム製品３００を示す。プログラム製品３００は信号担持媒体３０２を含むことができる。信号担持媒体３０２は、例えばプロセッサによって実行されたとき、図１〜２に関して上記で説明した機能を提供することのできる１つまたは複数の命令３０４を含むことができる。したがって、例えば、システム１００を参照すると、コンテンツ出力装置１１０は、媒体３０２によってシステム１００に伝達される命令３０４に応答して、図３に示されるブロックのうちの１つまたは複数を着手することができる。
【００３２】
いくつかの実装では、信号担持媒体３０２は、限定はしないが、ハードディスクドライブ、コンパクトディスク（ＣＤ）、デジタルビデオディスク（ＤＶＤ）、デジタルテープ、メモリなどのコンピュータ可読媒体３０６を包含することができる。いくつかの実装では、信号担持媒体３０２は、限定はしないが、メモリ、読取り／書込み（Ｒ／Ｗ）ＣＤ、Ｒ／Ｗ  ＤＶＤなどの記録可能媒体３０８を包含することができる。いくつかの実装では、信号担持媒体３０２は、限定はしないが、デジタルおよび／またはアナログ通信媒体（例えば、光ファイバケーブル、導波路、ワイヤード通信リンク、ワイヤレス通信リンクなど）などの通信媒体３１０を包含することができる。したがって、例えば、ＲＦ信号担持媒体３０２によってシステム１００の１つまたは複数のモジュールにプログラム製品３００を伝達することができ、信号担持媒体３０２がワイヤレス通信媒体３１０（例えば、ＩＥＥＥ８０２．１１規格に準拠するワイヤレス通信媒体）によって搬送される。
【００３３】
図４は、本明細書に記載の少なくともいくつかの実施形態による、ビデオコンテンツを出力するのに使用することのできる例示的コンピューティングデバイス４００を示すブロック図である。非常に基本的な構成４０２では、コンピューティングデバイス４００は通常、１つまたは複数のプロセッサ４０４およびシステムメモリ４０６を含む。メモリバス４０８を使用して、プロセッサ４０４とシステムメモリ４０６との間で通信することができる。
【００３４】
所望の構成に応じて、プロセッサ４０４は、限定はしないが、マイクロプロセッサ（μＰ）、マイクロコントローラ（μＣ）、デジタル信号プロセッサ（ＤＳＰ）、またはそれらの任意の組合せを含む任意のタイプでよい。プロセッサ４０４は、レベル１キャッシュ４１０およびレベル２キャッシュ４１２などのもう１つのレベルのキャッシング、プロセッサコア４１４、およびレジスタ４１６を含むことができる。例示的プロセッサコア４１４は、演算論理ユニット（ＡＬＵ）、浮動小数点ユニット（ＦＰＵ）、デジタル信号処理コア（ＤＳＰコア）、またはそれらの任意の組合せを含むことができる。例示的メモリコントローラ４１８をプロセッサ４０４と共に使用することもでき、またはいくつかの実装では、メモリコントローラ４１８はプロセッサ４０４の内部部品でよい。
【００３５】
所望の構成に応じて、システムメモリ４０６は、限定はしないが、揮発性メモリ（ＲＡＭなど）、不揮発性メモリ（ＲＯＭ、フラッシュメモリなど）、またはそれらの任意の組合せを含む任意のタイプでよい。システムメモリ４０６は、オペレーティングシステム４２０、１つまたは複数のアプリケーション４２２、およびプログラムデータ４２４を含むことができる。
【００３６】
アプリケーション４２２は、図１〜３に関して先に説明した機能を含む、本明細書に記載の機能を実施するように構成されたビデオコンテンツ出力アルゴリズム４２６を含むことができる。プログラムデータ４２４は、本明細書で説明するようにビデオコンテンツ出力アルゴリズムに有用なビデオコンテンツ出力データ４２８を含むことができる。ある実施形態では、複数のデバイスからのコンテンツを出力することを実現することができるように、オペレーティングシステム４２０上でプログラムデータ４２４と共に動作するようにアプリケーション４２２を構成することができる。図４では、この記載の基本構成４０２を内側の破線内の構成要素によって示す。
【００３７】
コンピューティングデバイス４００は追加の特徴または機能を有することができ、基本構成４０２と、任意の必要なデバイスおよびインターフェースとの間の通信を容易にするための追加のインターフェースを有することができる。例えば、バス／インターフェースコントローラ４３０を使用して、ストレージインターフェースバス４３４を介して基本構成４０２と１つまたは複数のデータ記憶装置４３２との間の通信を容易にすることができる。データ記憶装置４３２は、取外し式記憶装置４３６、非取外し式記憶装置４３８、またはそれらの組合せでよい。取外し式記憶装置および非取外し式記憶装置の例は、いくつかの例を挙げれば、フレキシブルディスクドライブやハードディスクドライブ（ＨＤＤ）などの磁気ディスクデバイス、コンパクトディスク（ＣＤ）ドライブやデジタルバーサタイルディスク（ＤＶＤ）ドライブなどの光ディスクドライブ、固体ドライブ（ＳＳＤ）、およびテープドライブを含む。例示的コンピュータ記憶媒体は、揮発性および不揮発性の、コンピュータ可読命令、データ構造、プログラムモジュール、他のデータなどの情報の記憶のための任意の方法または技術で実装された取外し式および非取外し式媒体を含むことができる。
【００３８】
システムメモリ４０６、取外し可能記憶装置４３６、および取外し不能記憶装置４３８は、コンピュータ記憶媒体の例である。コンピュータ記憶媒体は、限定はしないが、ＲＡＭ、ＲＯＭ、ＥＥＰＲＯＭ、フラッシュメモリ、または他のメモリ技術、ＣＤ−ＲＯＭ、デジタルバーサタイルディスク（ＤＶＤ）、または他の光ストレージ、磁気カセット、磁気テープ、磁気ディスクストレージ、または他の磁気記憶装置、あるいは所望の情報を記憶するのに使用することができ、コンピューティングデバイス４００によってアクセスすることのできる任意の他の媒体を含む。任意のそのようなコンピュータ記憶媒体はコンピューティングデバイス４００の一部でよい。
【００３９】
コンピューティングデバイス４００はまた、バス／インターフェースコントローラ４３０を介する様々なインターフェースデバイス（例えば、出力装置４４２、周辺インターフェース４４４、および通信装置４４６）から基本構成４０２への通信を容易にするインターフェースバス４４０をも含むことができる。例示的出力装置４４２は、グラフィックス処理ユニット４４８およびオーディオ処理ユニット４５０を含み、１つまたは複数のＡ／Ｖポート４５２を介してディスプレイやスピーカなどの様々な外部デバイスに通信するようにグラフィックス処理ユニット４４８およびオーディオ処理ユニット４５０を構成することができる。例示的周辺インターフェース４４４は、シリアルインターフェースコントローラ４５４またはパラレルインターフェースコントローラ４５６を含み、１つまたは複数のＩ／Ｏポート４５８を介して入力デバイス（例えば、キーボード、マウス、ペン、音声入力デバイス、タッチ入力デバイスなど）または他の周辺デバイス（例えば、プリンタ、スキャナなど）などの外部デバイスと通信するようにシリアルインターフェースコントローラ４５４またはパラレルインターフェースコントローラ４５６を構成することができる。例示的通信装置４４６はネットワークコントローラ４６０を含み、１つまたは複数の通信ポート４６４を通じて、ネットワーク通信リンクを介して１つまたは複数の他のコンピューティングデバイス４６２との通信を容易にするようにネットワークコントローラ４６０を構成することができる。
【００４０】
ネットワーク通信リンクは通信媒体の一例でよい。通信媒体は通常、搬送波や他の移送機構などの被変調データ信号中のコンピュータ可読命令、データ構造、プログラムモジュール、または他のデータによって具現化することができ、任意の情報配信媒体を含むことができる。「被変調データ信号」は、信号中に情報を符号化するような方式でその特徴のうちの１つまたは複数を設定または変化させる信号でよい。限定ではなく例として、通信媒体は、ワイヤードネットワークやダイレクトワイヤード接続などのワイヤード媒体と、音響媒体、無線周波数（ＲＦ）媒体、赤外線（ＩＲ）媒体、他のワイヤレス媒体などのワイヤレス媒体とを含むことができる。本明細書で使用する場合、コンピュータ可読媒体という用語は、記憶媒体と通信媒体のどちらも含むことができる。
【００４１】
コンピューティングデバイス４００は、携帯電話、携帯情報端末（ＰＤＡ）、パーソナルメディアプレーヤデバイス、ワイヤレスウェブ視聴デバイス、パーソナルヘッドセットデバイス、特定用途向けデバイス、上記の機能のいずれかを含むハイブリッドデバイスなどの小型形状因子ポータブル（またはモバイル）電子デバイスの一部として実装することができる。コンピューティングデバイス４００はまた、ラップトップコンピュータ構成と非ラップトップコンピュータ構成のどちらも含むパーソナルコンピュータとして実装することもできる。
【００４２】
本開示は、様々な態様の例示として意図される、本願に記載の特定の実施形態によって限定されるべきではない。当業者には明らかであろうが、その趣旨および範囲から逸脱することなく、多くの修正および変形を行うことができる。本開示の範囲内の機能的に等価な方法および装置が、本明細書で列挙したものに加えて、上記の説明から当業者には明らかであろう。そのような修正および変形は、添付の特許請求の範囲内に包含されるものとする。本開示は、添付の特許請求の範囲の条項、およびそのような特許請求の範囲が権利を有する全範囲の均等物のみによって限定されるべきである。本開示が特定の方法、試薬、化合物組成、または生物学的システムに限定されず、それらはもちろん変化する可能性があることを理解されたい。本明細書で使用した用語は特定の実施形態を説明するためのものにすぎず、限定を意図するものではないことも理解されたい。
【００４３】
本明細書における実質的にすべての複数形および／または単数形の用語の使用に対して、当業者は、状況および／または用途に適切なように、複数形から単数形に、および／または単数形から複数形に変換することができる。様々な単数形／複数形の置き換えは、理解しやすいように、本明細書で明確に説明することができる。
【００４４】
通常、本明細書において、特に添付の特許請求の範囲（例えば、添付の特許請求の範囲の本体部）において使用される用語は、全体を通じて「オープンな（ｏｐｅｎ）」用語として意図されていることが、当業者には理解されよう（例えば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。例えば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（例えば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（例えば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（例えば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（例えば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、そ���に限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。例えば、句「ＡまたはＢ」は、「Ａ」または「Ｂ」あるいは「ＡおよびＢ」の可能性を含むことが理解されよう。
【００４５】
さらに、本開示の特徴または態様がマーカッシュグループによって記述される場合、それによって、本開示はマーカッシュグループの任意の個々メンバまたはメンバのサブグループによっても記述されることを当業者は理解されよう。
【００４６】
当業者は理解するであろうが、明細書を与えることに関してなど、あらゆる目的について、本明細書で開示するすべての範囲は、本明細書のあらゆる可能な部分範囲および部分範囲の組合せをも包含する。任意の列挙される範囲は、少なくとも等しい半分、１／３、１／４、１／５、１／１０などに分割される同じ範囲を十分に記述し、可能にするものとして容易に理解することができる。非限定的な例として、本明細書で論じた各範囲を、下側の１／３、中央の１／３、および上側の１／３などに容易に分割することができる。やはり当業者は理解するであろうが、「最大」、「少なくとも」、「より大きい」、「未満」などのすべての言い回しは記載の数を含み、上記で論じた部分範囲にその後で分割することのできる範囲を指す。最後に、当業者は理解するであろうが、範囲はそれぞれの個々のメンバを含む。したがって、例えば、１〜３個のセルを有するグループは、１、２、または３個のセルを有するグループを指す。同様に、１〜５個のセルを有するグループは、１、２、３、４、または５個のセルを有するグループを指し、以下同様である。
【００４７】
様々な態様および実施形態を本明細書で開示したが、他の態様および実施形態が当業者には明らかであろう。本明細書で開示した様々な態様および実施形態は、例示のためのものであり、限定を意図するものではなく、真の範囲および趣旨は以下の特許請求によって示される。
【図１】
2014513455.tif 000003
【図２】
2014513455.tif 000004
【図３】
2014513455.tif 000005
【図４】
2014513455.tif 000006
【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
コンテンツ出力装置のディスプレイ上にビデオコンテンツを出力する方法であって、
第１のビデオコンテンツを求める第１の要求を前記コンテンツ出力装置で受信することであって、前記第１のビデオコンテンツが、第１の識別子および第１のカテゴリを含むこと、
前記コンテンツ出力装置で、前記第１のビデオコンテンツに関するズーム選択を受信することであって、前記ズーム選択が、前記第１のビデオコンテンツに割り当てられた第１のズームレベルを含み、前記第１のズームレベルが、前記第１の識別子または前記第１のカテゴリの少なくとも一方に基づくこと、
前記第１の識別子または前記第１のカテゴリの前記少なくとも一方に割り当てられた前記第１のズームレベルをメモリに格納すること、
第２のビデオコンテンツを求める第２の要求を前記コンテンツ出力装置で受信することであって、前記第２のビデオコンテンツが、第２の識別子および第２のカテゴリを含むこと、
前記コンテンツ出力装置によって前記メモリを解析し、前記メモリ内の前記第１の識別子または前記第１のカテゴリの前記少なくとも一方に割り当てられた前記第１のズームレベルに基づいて、かつ前記第１の識別子または前記第１のカテゴリの少なくとも一方に基づいて、前記第２のビデオコンテンツに関する第２のズームレベルを求めること、および
前記ディスプレイを制御して、前記第２のズームレベルで前記第２のビデオコンテンツを出力すること
を含む方法。
【請求項２】
前記第１のカテゴリが前記第２のカテゴリと同一であるとき、前記第２のズームレベルが前記第１のズームレベルと同一である請求項１に記載の方法。
【請求項３】
前記第１の識別子が第２の識別子と同一であるとき、前記第２のズームレベルが第１のズームレベルと同一である請求項１に記載の方法。
【請求項４】
前記第１および第２のビデオコンテンツが、第１および第２のモバイルデバイスアプリケーションからの第１および第２の出力であり、前記第１のモバイルデバイスアプリケーションが第１の識別子および第１のカテゴリを含み、前記第２のモバイルデバイスアプリケーションが前記第２の識別子および前記第２のカテゴリを含み、
前記方法が、前記ディスプレイを制御して、前記第２のズームレベルで前記第２のモバイルデバイスアプリケーションの前記ビデオコンテンツを出力すること
をさらに含み、
前記第１の識別子が第２の識別子と同一であるとき、または前記第１のカテゴリが前記第２のカテゴリと同一であるとき、前記第２のズームレベルが前記第１のズームレベルと同一である請求項１に記載の方法。
【請求項５】
前記第１の識別子が第２の識別子と同一であるとき、第２のズームレベルが前記第１のズームレベルと同一であり、
前記第１の識別子が前記第２の識別子と同一ではなく、前記第１のカテゴリが前記第２のカテゴリと同一であるとき、第２のズームレベルが前記第１のズームレベルと同一である請求項１に記載の方法。
【請求項６】
前記第１の識別子が前記第２の識別子と同一ではないとき、かつ前記第１のカテゴリが前記第２のカテゴリと同一ではないとき、前記第２のズームレベルが前記コンテンツ出力装置のディスプレイに基づく請求項５に記載の方法。
【請求項７】
前記第１のビデオコンテンツが第１のウェブページであり、
前記第２のビデオコンテンツが第２のウェブページである請求項１に記載の方法。
【請求項８】
前記第１のカテゴリが、前記第１のウェブページのコンテンツの量に関係し、
前記第２のカテゴリが、前記第２のウェブページのコンテンツの量に関係する請求項７に記載の方法。
【請求項９】
前記第２のズームレベルが、前記コンテンツ出力装置の前記ディスプレイに基づく請求項１に記載の方法。
【請求項１０】
前記ズーム選択を受信することが、前記コンテンツ出力装置のタッチスクリーンユーザインターフェース上のピンチング動作を受信することを含む請求項１に記載の方法。
【請求項１１】
コンテンツ出力装置のディスプレイ上にビデオコンテンツを出力するのに有効なコンテンツ出力装置であって、
メモリと、
ディスプレイと、
前記メモリおよび前記ディスプレイと通信しているプロセッサとを備え、
前記プロセッサが、
第１のビデオコンテンツを求める第１の要求を受信するのに有効であり、前記第１のビデオコンテンツが、第１の識別子および第１のカテゴリを含み、
前記第１のビデオコンテンツに関するズーム選択を受信するのに有効であり、前記ズーム選択が、前記第１のビデオコンテンツに割り当てられた第１のズームレベルを含み、前記第１のズームレベルが、前記第１の識別子または前記第１のカテゴリの少なくとも一方に基づいており、
前記第１の識別子または前記第１のカテゴリの前記少なくとも一方に割り当てられた前記第１のズームレベルをメモリに格納するのに有効であり、
第２のビデオコンテンツを求める第２の要求を受信するのに有効であり、前記第２のビデオコンテンツが、第２の識別子および第２のカテゴリを含み、
前記メモリを解析し、前記メモリ内の前記第１の識別子または前記第１のカテゴリの前記少なくとも一方に割り当てられた前記第１のズームレベルに基づいて、かつ前記第１の識別子または前記第１のカテゴリの少なくとも一方に基づいて、前記第２のビデオコンテンツに関する第２のズームレベルを求めるのに有効であり、
前記ディスプレイを制御して、前記第２のズームレベルで前記第２のビデオコンテンツを出力するのに有効である、コンテンツ出力装置。
【請求項１２】
前記第１のカテゴリが前記第２のカテゴリと同一であるとき、前記第２のズームレベルが前記第１のズームレベルと同一である請求項１１に記載のコンテンツ出力装置。
【請求項１３】
前記第１の識別子が第２の識別子と同一であるとき、第２のズームレベルが前記第１のズームレベルと同一である請求項１１に記載のコンテンツ出力装置。
【請求項１４】
前記第１および第２のビデオコンテンツが、第１および第２のモバイルデバイスアプリケーションからの第１および第２の出力であり、前記第１のモバイルデバイスアプリケーションが、前記第１の識別子および前記第１のカテゴリを含み、前記第２のモバイルデバイスアプリケーションが、前記第２の識別子および前記第２のカテゴリを含み、
前記プロセッサが、前記ディスプレイを制御して、前記第２のズームレベルで前記第２のモバイルデバイスアプリケーションの前記ビデオコンテンツを出力するのに有効であり、
前記第１の識別子が前記第２の識別子と同一であるとき、または前記第１のカテゴリが前記第２のカテゴリと同一であるとき、第２のズームレベルが前記第１のズームレベルと同一である請求項１１に記載のコンテンツ出力装置。
【請求項１５】
前記第１の識別子が第２の識別子と同一であるとき、第２のズームレベルが前記第１のズームレベルと同一であり、
前記第１の識別子が前記第２の識別子と同一ではなく、前記第１のカテゴリが前記第２のカテゴリと同一であるとき、第２のズームレベルが前記第１のズームレベルと同一である請求項１１に記載のコンテンツ出力装置。
【請求項１６】
前記第１の識別子が前記第２の識別子と同一ではないとき、かつ前記第１のカテゴリが前記第２のカテゴリと同一ではないとき、前記第２のズームレベルが前記コンテンツ出力装置のディスプレイに基づく請求項１５に記載のコンテンツ出力装置。
【請求項１７】
前記第１のビデオコンテンツが第１のウェブページであり、
前記第２のビデオコンテンツが第２のウェブページであり、
前記第１のカテゴリが、前記第１のウェブページ上のコンテンツの量に関係し、
前記第２のカテゴリが、前記第２のウェブページ上のコンテンツの量に関係する請求項１１に記載のコンテンツ出力装置。
【請求項１８】
前記プロセッサと通信しているタッチスクリーンユーザインターフェース
をさらに備え、
前記ズーム選択を受信することが、前記タッチスクリーン上のピンチング動作の検出を含む請求項１１に記載のコンテンツ出力装置。
【請求項１９】
コンピュータによって実行されたとき、コンテンツ出力装置のディスプレイ上にビデオコンテンツを出力する方法を実施するように前記コンピュータを適合させるコンピュータ実行可能命令がその上に格納されたコンピュータ記憶媒体であって、前記方法が、
第１のビデオコンテンツを求める第１の要求を前記コンテンツ出力装置で受信することであって、前記第１のビデオコンテンツが、第１の識別子および第１のカテゴリを含むこと、
前記コンテンツ出力装置で、前記第１のビデオコンテンツに関するズーム選択を受信することであって、前記ズーム選択が、前記第１のビデオコンテンツに割り当てられた第１のズームレベルを含み、前記第１のズームレベルが、前記第１の識別子または前記第１のカテゴリの少なくとも一方に基づくこと、
前記第１の識別子または前記第１のカテゴリの前記少なくとも一方に割り当てられた前記第１のズームレベルをメモリに格納すること、
第２のビデオコンテンツを求める第２の要求を前記コンテンツ出力装置で受信することであって、前記第２のビデオコンテンツが、第２の識別子および第２のカテゴリを含むこと、
前記コンテンツ出力装置によって前記メモリを解析し、前記メモリ内の前記第１の識別子または前記第１のカテゴリの前記少なくとも一方に割り当てられた前記第１のズームレベルに基づいて、かつ前記第１の識別子または前記第１のカテゴリの少なくとも一方に基づいて、前記第２のビデオコンテンツに関する第２のズームレベルを求めること、および
前記ディスプレイを制御して、前記第２のズームレベルで前記第２のビデオコンテンツを出力すること
を含むコンピュータ記憶媒体。
【請求項２０】
第１および第２のビデオコンテンツが、第１および第２のモバイルデバイスアプリケーションからの出力であり、
前記第１の識別子が第２の識別子と同一であるとき、前記第２のズームレベルが前記第１のズームレベルと同一であり、
前記第１の識別子が前記第２の識別子と同一ではなく、前記第１のカテゴリが前記第２のカテゴリと同一であるとき、前記第２のズームレベルが前記第１のズームレベルと同一であり、
前記第１の識別子が前記第２の識別子と同一ではないとき、かつ前記第１のカテゴリが前記第２のカテゴリと同一ではないとき、前記第２のズームレベルが前記コンテンツ出力装置のディスプレイに基づく請求項１９に記載のコンピュータ記憶媒体。
【手続補正２】
【補正対象書類名】図面
【補正対象項目名】図３
【補正方法】変更
【補正の内容】
【図３】
2014513455.tif 000007
【手続補正３】
【補正対象書類名】図面
【補正対象項目名】図４
【補正方法】変更
【補正の内容】
【図４】
2014513455.tif 000008
【国際調査報告】
2014513455.tif 000009